Podtech/llm-jp-corpus-v4-ja_patent huggingface dataset:
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
注射針または輸液針の保護装置において、
針ホルダは、針を針先から離隔した位置で保持し、
針保護エレメントは、
針がその内部を貫通するスリーブを有する壁部と、
該壁部から針の両側側面に延在する２本の可撓性アームとを有し、
該２本の可撓性アームは、そのそれぞれの遠端部が、互いに軸方向にオフセットし、待機位置において針軸に対して圧接するとともに、針保護位置において針先端を覆うようになされ、
グリップ部は、前記針保護エレメントを受容するための内部空隙部を画制する内周面と、保持部を形成する外周面を有し、
前記グリップ部と針ホルダは、針保護エレメントが待機位置にある際に、互いにその一部が重なり合い、
前記グリップ部は、把持されて遠位端方向にスライドして針ホルダからグリップ部を離隔させるとともに、前記針保護エレメントを針保護位置に移動させ、該針保護位置において前記２本の可撓性アームは針軸との係合状態から離脱して針先端を保護し、
針先端近傍の異形部は、前記針保護エレメントの壁部のスリーブと干渉して針保護エレメントの移動を阻止することを特徴とする注射針または輸液針の保護装置。
【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
患者の食欲を抑制するように治療を行うことによって肥満患者を治療するための装置であって、
患者の横隔膜の下側位置で患者の迷走神経の左分枝及び右分枝の両方に対して直接的または間接的に電気刺激を加えて患者の迷走神経の左分枝及び右分枝の両方を刺激して、患者に満腹感を与えて、患者の体重が減量するように上記電気信号の電気パラメータとタイミングパラメータをプログラムするように構成されていることを特徴とする、肥満患者を治療するための装置。
【請求項２】
少なくとも１つの信号刺激器と、上記電気信号を上記位置の迷走神経の左分枝及び右分枝の両方へ加えるように連結された電極とを埋め込む請求項１に記載の装置。
【請求項３】
少なくとも１つの信号刺激器と、上記電気信号を身体内部で発生して患者の迷走神経以外の神経系の一部に加えて上記位置の迷走神経の左分枝及び右分枝の両方を間接的に刺激するように連結された電極とを埋め込む請求項１に記載の装置。
【請求項４】
刺激電気信号が一連の電気パルスから成る請求項１に記載の装置。
【請求項５】
刺激段階で患者の横隔膜の約２〜３インチ下に位置する迷走神経の左分枝及び右分枝の両方に電気信号を印加する請求項１に記載の装置。
【請求項６】
刺激段階で所定の負荷サイクルに従ってオンとオフが繰り返す周期で電気信号を断続的に印加する請求項１に記載の装置。
【請求項７】
刺激段階で電気信号を連続的に印加する請求項１に記載の装置。
【請求項８】
刺激段階で電気信号を迷走神経の左分枝及び右分枝の両方へ同時に印加する請求項１に記載の装置。
【請求項９】
刺激段階で患者の胃腸管の一部から入れた内視鏡を用いて電気信号を印加する請求項１に記載の装置。
【請求項１０】
刺激段階で患者の迷走神経以外の神経系の一部に非侵襲的に印加して上記位置にある迷走神経の左分枝及び右分枝の両方を間接的に刺激して上記電気信号を印加する請求項１に記載の装置。
【誤訳訂正書】
【提出日】平成19年7月4日(2007.7.4)
【誤訳訂正１】
【訂正対象書類名】明細書
【訂正対象項目名】００２４
【訂正方法】変更
【訂正の内容】
【００２４】
しかし、より意義深いことは、中空部２６が形成されることである。中空部２６は、延長された周縁境界面(peripheral limit)Ａと連結部１２の内周面との間に渡る容積である。延長された周縁境界面Ａは、連結部１２の形成や管１４の曲げによって変形されていない管１４の部分から直線的に延長される概念上の表面である。中空部２６は、雌部材１０が管継手の雄部材に対して捩られたときのナット２０の応答を変化させる。特に図４の曲げられた形態において、雌部材２０に雌部材２０が雄部材に対して捩られるように打撃が与えられ、あるいは振動されるとき、中空部２６がないと、ナット２０は雄部材から緩みやすい。もし、緩みが十分に進むと管継手は漏れを起こし得る。したがって、連結は不十分なものとなる。中空部２６はこの緩み易さを低減する。中空部２６は多少の変形を許容すると考えられ、結果このような条件の下で管１４とナット２０の間の摩擦を低減する。摩擦の低減は、ナット２０の上記条件の下での緩み易さを低減する。
【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
取り外し可能なバッテリーの付いた電動車両システムであって、１台の電動車両は、電力ネットワークから集電機構を介して電力供給を受ける電子制御及び信号通信装置を有し、かつ、電線と信号伝達路を有する金属性の連結構造部により、バッテリーを有する貨物車両と連結されることを特徴とする、電動車両システム。
【請求項２】
前記貨物車両は、伸縮自在の集電機構を有することを特徴とする、請求項１に記載の電動車両システム。
【請求項３】
前記連結構造部は、２つの部分に分割され、各部分は、切り離された車両方向に縮めることが可能であり、車体に垂直に折りたたまれるか又は固定されることを特徴とする請求項１の電動車両システム。
【請求項４】
取り外し可能なバッテリーの付いた電気車両であって、電線と信号伝達路を有する着脱装置を介して非電気の内燃力車両と連結されることを特徴とする電気車両。
【請求項５】
非電気の内燃力車両であって、バッテリーと電力回生システムとを有する、取り外し可能な電力駆動システムを具備することを特徴とする非電気の内燃力車両。
【請求項６】
輸送システムであって、該輸送システムに駆動電力を与える発電機を駆動する動力を供給するための内燃力エンジンを具備することを特徴とする輸送システム。
【請求項７】
輸送用車両であって、該輸送用車両の１つの車軸に駆動力を与える内燃力エンジンを具備し、さらに、他の車軸を駆動し又は該他の車軸により駆動される、電力回生機能を備えた電力駆動システムを具備することを特徴とする輸送用車両。
【請求項８】
内燃力エンジンで駆動される車軸を備え、充電可能なバッテリーを備えた１台の車両を有する輸送システムであって、他の車軸が外力により駆動されるとき電力を発生させることが可能な電力駆動装置及び発電装置のどちらか一方又は両方が該他の車軸に設けられたことを特徴とする輸送システム。
【手続補正２】
【補正対象書類名】明細書
【補正対象項目名】０００６
【補正方法】変更
【補正の内容】
【０００６】
発明の最適実施例
電力を供給する車両／電車０５は金属製の牽引用連結構造部０４により後方の車両０１と連結されている。電車の集電機構０３＊を用いて上方の電源ラインから、モーター運転システムを稼動させるため、電気が電車０５内に引き込まれる。電気は電車０５内の内部分電盤を経由して、駆動力及びバッテリー再充電のため車両０１へ送電される。電子制御及び信号装置により、運転／操作信号は電車０５から車両０１へ送信され、必要に応じて車両運転手に警報信号を送る機能を持たせ、基本的な運転は前方の電車０５により自動的に制御される。切り離し場所において、車両０１は、バッテリーを臨時の動力源として、バッテリー動力により、前進するために、電車０５と切り離される。着脱可能なバッテリー０２には２つの金属製のアーム０６（正と負の極の役割を果たす）があり、車両０１の一方の端＊＊（ここでは、後方）に取り付けられている。
【手続補正書】
【提出日】平成19年9月14日(2007.9.14)
【手続補正１】
【補正対象書類名】明細書
【補正対象項目名】発明の名称
【補正方法】変更
【補正の内容】
【発明の名称】無線伝送システム
【手続補正２】
【補正対象書類名】明細書
【補正対象項目名】特許請求の範囲
【補正方法】変更
【補正の内容】
【特許請求の範囲】
【請求項１】
電子／音響トランスデューサおよび同トランスデューサに作動的に連結された信号処理装置を有する少なくとも１つの補聴器、それぞれ予め定められた搬送周波数で伝送される複数個の音響信号を伝送するための手段、前記少なくとも１つの補聴器を構成するとともに前記信号処理装置および電子／音響トランスデューサに作動的に連結され前記複数個の音響信号の少なくとも１つを受信するための手段、前記複数個の音響信号の少なくとも１つを受信するための手段を構成するコンフィギュレーションパラメータを生成および伝送する手段、前記複数個の音響信号の少なくとも１つを受信するための前記手段を構成する前記コンフィギュレーションパラメータを受信するための手段、および前記複数個の音響信号の少なくとも１つを受信するための前記手段を前記コンフィギュレーションパラメータに従う音響信号に同調させる手段を有する無線による伝送システムであって、前記複数個の音響信号およびコンフィギュレーションパラメータが独立した伝送チャンネルを通して無線で伝送されることを特徴とする無線伝送システム。
【請求項２】
前記コンフィギュレーションパラメータを生成し、伝送する手段が、少なくとも１つの遠隔制御装置、送信器、ループアンテナに接続された制御装置およびコンフィギュレーション制御装置を備えていることを特徴とする請求項１記載の無線伝送システム。
【請求項３】
複数個の音響信号を伝送する前記手段が１つの装置で構成されていることを特徴とする請求項１記載の無線伝送システム。
【請求項４】
複数個の音響信号を伝送する前記手段が、それぞれ、１つの音響信号を伝送可能であることを特徴とする請求項１記載の無線伝送システム。
【請求項５】
前記コンフィギュレーションパラメータを生成および伝送する前記手段と複数個の音響信号を伝送するための前記手段が設けられた伝送装置を更に有することを特徴とする請求項１記載の無線伝送システム。
【請求項６】
前記コンフィギュレーションパラメータを生成して伝送するための手段を含むコンフィギュレーション装置を更に有し、同コンフィギュレーション装置は前記コンフィギュレーションパラメータを受けて少なくとも１つの補聴器をプログラムするための手段に双方向接続可能であることを特徴とする請求項１記載の無線伝送システム。
【請求項７】
前記コンフィギュレーション装置に作動的に連結された計算装置を更に有することを特徴とする請求項６記載の無線伝送システム。
【請求項８】
一方でループアンテナに接続され、他方で入力／計算装置に接続された制御装置を更に有することを特徴とする請求項１記載の無線伝送システム。
【請求項９】
前記入力／計算装置が前記制御装置に標準化されたＵＳＢ（ユニバーサル・スタンダード・バス）を介して接続されていることを特徴とする請求項８記載の無線伝送システム。
【請求項１０】
前記少なくとも１つの補聴器が使用者に装着される少なくとも１つの補聴器を含むことを特徴とする請求項１記載の無線伝送システム。
【請求項１１】
電子／音響トランスデューサおよび同トランスデューサに作動的に連結された信号処理装置を有する少なくとも１つの補聴器、それぞれ予め定められた搬送周波数で伝送される複数個の音響信号を伝送するための手段、前記少なくとも１つの補聴器に着脱可能に結合されるとともに前記信号処理装置および電子／音響トランスデューサに作動的に連結され前記複数個の音響信号の少なくとも１つを受信するための手段、前記複数個の音響信号の少なくとも１つを受信するための手段を構成するコンフィギュレーションパラメータを生成および伝送する手段、前記複数個の音響信号の少なくとも１つを受信するための前記手段を構成する前記コンフィギュレーションパラメータを受信するための手段、および前記複数個の音響信号の少なくとも１つを受信するための前記手段を前記コンフィギュレーションパラメータに従う音響信号に同調させる手段を有する無線による伝送システムであって、前記複数個の音響信号およびコンフィギュレーションパラメータが独立した伝送チャンネルを通して無線で伝送されることを特徴とする無線伝送システム。
【請求項１２】
前記コンフィギュレーションパラメータを生成し、伝送する手段が、少なくとも１つの遠隔制御装置、送信器、ループアンテナに接続された制御装置およびコンフィギュレーション制御装置を備えていることを特徴とする請求項１１記載の無線伝送システム。
【請求項１３】
複数個の音響信号を伝送する前記手段が１つの装置で構成されていることを特徴とする請求項１１記載の無線伝送システム。
【請求項１４】
複数個の音響信号を伝送する前記手段が、それぞれ、１つの音響信号を伝送可能であることを特徴とする請求項１１記載の無線伝送システム。
【請求項１５】
前記コンフィギュレーションパラメータを生成および伝送する前記手段と複数個の音響信号を伝送するための前記手段が設けられた伝送装置を更に有することを特徴とする請求項１１記載の無線伝送システム。
【請求項１６】
前記コンフィギュレーションパラメータを生成して伝送するための手段を含むコンフィギュレーション装置を更に有し、同コンフィギュレーション装置は前記コンフィギュレーションパラメータを受けて少なくとも１つの補聴器をプログラムするための手段に双方向接続可能であることを特徴とする請求項１１記載の無線伝送システム。
【請求項１７】
前記コンフィギュレーション装置に作動的に連結された計算装置を更に有することを特徴とする請求項１６記載の無線伝送システム。
【請求項１８】
一方でループアンテナに接続され、他方で入力／計算装置に接続された制御装置を更に有することを特徴とする請求項１１記載の無線伝送システム。
【請求項１９】
前記入力／計算装置が前記制御装置に標準化されたＵＳＢ（ユニバーサル・スタンダード・バス）を介して接続されていることを特徴とする請求項１８記載の無線伝送システム。
【請求項２０】
前記少なくとも１つの補聴器が使用者に装着される少なくとも１つの補聴器を含むことを特徴とする請求項１１記載の無線伝送システム。
【手続補正３】
【補正対象書類名】明細書
【補正対象項目名】０００１
【補正方法】変更
【補正の内容】
【０００１】
本発明は、特許請求の範囲における請求項１の導入部に記載された無線による伝送システムに関する。
【手続補正４】
【補正対象書類名】明細書
【補正対象項目名】０００５
【補正方法】変更
【補正の内容】
【０００５】
従って、本発明は、伝送路を一方から他方へと急に切替えることを可能とする無線伝送システムを提供することを課題とする。この場合、伝送路の切替が音声信号に対する干渉を引起すことは回避すべきである。
【手続補正５】
【補正対象書類名】明細書
【補正対象項目名】０００６
【補正方法】変更
【補正の内容】
【０００６】
この課題は、請求項１の特徴部に記載された無線伝送システムにより解決される。本発明の好ましい実施の形態は、その他の請求項に記載されている。
【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
（ａ）曲った中央部分において波形を具備した曲った中央部分；
（ｂ）該曲った中央部分の両端から延在する一対の側壁部分であり、前記曲った中央部分が、前記側壁部分の間から見て凹形状を有している側壁部分であって、該側壁部分が凹形状に曲がった部分から接線状に延在しており；および
（ｃ）該側壁部分から延在する一対の係合翼部分
からなることを特徴とするビルディング用パネル。
【請求項２】
前記曲った中央部分が、円弧形状をしていることを特徴とする請求項１に記載のビルディング用パネル。
【請求項３】
前記円弧が１５°から１３０°の範囲に亘っていることを特徴とする請求項２に記載のビルディング用パネル。
【請求項４】
前記円弧が４０°から１３０°の範囲に亘っていることを特徴とする請求項２に記載のビルディング用パネル。
【請求項５】
前記円弧が６０°から１２０°の範囲に亘っていることを特徴とする請求項４に記載のビルディング用パネル。
【請求項６】
前記円弧が８５°であることを特徴とする請求項５に記載のビルディング用パネル。
【請求項７】
前記円弧が４インチから２５インチの範囲の半径を有することを特徴とする請求項２に記載のビルディング用パネル。
【請求項８】
前記円弧が４インチから１２インチの範囲の半径を有することを特徴とする請求項２に記載のビルディング用パネル。
【請求項９】
前記半径が５インチから８インチの範囲であることを特徴とする請求項２に記載のビルディング用パネル。
【請求項１０】
前記半径が６インチであることを特徴とする請求項８に記載のビルディング用パネル。
【請求項１１】
前記側壁部分が、前記中央部分の両端から傾斜して延在していることを特徴とする請求項１に記載のビルディング用パネル。
【請求項１２】
前記翼部分の一方がフック部分を有し前記翼部分の他方がヘム部分を有することを特徴とする請求項１に記載のビルディング用パネル。
【請求項１３】
多数の相互に連結されたパネルからなり、各パネルが、
（ａ）曲った中央部分において波形を具備した曲った中央部分；
（ｂ）該曲った中央部分の両端から延在する一対の側壁部分であり、前記曲った中央部分が、前記側壁部分の間から見て凹形状を有している側壁部分であって、該側壁部分が凹形状に曲がった部分から接線状に延在しており；および
（ｃ）前記側壁部分から延在する一対の係合翼部分からなり、一方の翼部分が前記側壁部分の一方から延在し、他方の翼部分が前記側壁部分の他方から延在しており、前記複数のパネルのうちの或るパネルの一方からの１つの翼部分が前記複数のパネルの別のパネルの他方からの翼部分に連結されている；
ことを特徴とするビルディング構造体。
【請求項１４】
前記曲った部分が、円弧形状をしていることを特徴とする請求項１３に記載のビルディング構造体。
【請求項１５】
前記円弧が１５°から１３０°の範囲に亘っていることを特徴とする請求項１４に記載のビルディング構造体。
【請求項１６】
前記円弧が４インチから２５インチの範囲の半径を有することを特徴とする請求項１４に記載のビルディング構造体。
【請求項１７】
前記１つの翼部分がフック部分を有し前記他方の翼部分が補完するヘム部分を有しており、該フック部分および該ヘム部分が互いに連結することを特徴とする請求項１３に記載のビルディング構造体。
【請求項１８】
曲った中央部分を有するパネルをクリンプするためのパネルクリンプ機械であって、
（ａ）一対のクリンプローラが互いに変位して前記パネルクリンプ機械内に位置しており、パネルが該パネル機械に入るときに該パネルの曲った中央部分が前記クリンプローラの間を通過するようになっており、該対をなしたクリンプローラは、
（ｉ）（Ａ）ハブ、および
（Ｂ）該ハブから半径方向に延在するとともに、雄クリンプブレードの各々が凸形状を有する多数の雄クリンプブレード、
からなる雄クリンプローラ、
（ii）（Ａ）ハブ、および
（Ｂ）該ハブから半径方向に延在するとともに、雌クリンプブレードが前記雄クリンプブレードの凸形状と係合する凹形状を有している多数の雌クリンプブレード、
からなる雌クリンプローラ
からなり、
（ｂ）前記対をなしたクリンプローラを駆動しクリンプローラを回転させて、前記雄クリンプブレードおよび雌クリンプブレードを交互に交差させてパネルの曲がった中央部分をクリンプさせる手段、
からなることを特徴とするパネルクリンプ機械。
【請求項１９】
前記対をなしたクリンプローラを駆動する手段がモータおよび該モータを前記クリンプローラに連結する機械式駆動列を含んでいることを特徴とする請求項１８に記載のパネルクリンプ機械。
【請求項２０】
前記機械式駆動列が前記クリンプローラの一つを駆動するとともに該クリンプローラの他方が空回りすることを許容することを特徴とする請求項１９に記載のパネルクリンプ機械。
【請求項２１】
前記機械式駆動列が前記クリンプローラの両方を駆動することを特徴とする請求項１９に記載のパネルクリンプ機械。
【請求項２２】
前記駆動列が、
（ａ）前記雄クリンプローラを貫通する第１の軸；
（ｂ）前記雌クリンプローラを貫通する第２の軸；
（ｃ）該第１の軸に装着された第１の歯車；
（ｄ）該第２の軸に装着され、前記第１の歯車に噛合する第２の歯車；
（ｅ）前記第２のスプロケットに係合する遊び歯車；および
（ｆ）前記第１および第２の歯車を回転させる前記遊び歯車に連結された駆動するモータであって前記雄および雌クリンプローラを回転させるようになっているモータ；
からなることを特徴とする請求項２２に記載のパネルクリンプ機械。
【請求項２３】
前記モータと前記遊びスプロケットとの間に位置するクラッチを更に具備していることを特徴とする請求項２２に記載のパネルクリンプ機械。
【請求項２４】
前記クラッチが逆転クラッチであることを特徴とする請求項２３に記載のパネルクリンプ機械。
【請求項２５】
前記側壁部分が前記曲がった中央部分の両端から傾斜していることを特徴とする請求項１３に記載のビルディング構造体。
(57)【要約】本発明はロータリーエンジンに関し、２つのローター（１、２）が回転自在にシリンダに密閉され、ローターのピストン（９）のいずれにも燃焼室（１０）が開けられ、燃焼室の開口がシリンダ壁に向いており、圧縮気体が燃焼室内で点火されて、ローターを回転させ、ローターが遊星傘歯車ディファレンシャル（６）により制御され、ディファレンシャルにより動力が出力され、エンジンはガソリン又はディーゼルを燃料として用いられ得る。【選択図】図１
2019505730.tif 000002
【特許請求の範囲】
【請求項１】
２つのローター、シリンダ、ピストン及び遊星傘歯車ディファレンシャルから構成されるロータリーエンジンであって、
２つのローターのピストンのいずれにも燃焼室が開けられ、燃焼室の開口がシリンダ壁に向いていることを特徴とするロータリーエンジン。
【請求項２】
ローター１とローター２はそれぞれ遊星傘歯車ディファレンシャルの太陽歯車１と太陽歯車２に接続され、ディファレンシャルにより動力が出力されることを特徴とする請求項１に記載のロータリーエンジン。
【発明の詳細な説明】
【技術分野】
【０００１】
本発明はロータリーエンジンに関する。
【背景技術】
【０００２】
従来、公知のロータリーエンジンはヴァンケル型ロータリーエンジンであり、マツダセダンに用いられる。該機器は加速性能が良好で、製造技術が高く、気体圧縮比が小さく、ガソリンしか燃料として使用できない。排気ガスは標準に合致しない。
【発明の概要】
【０００３】
本発明の目的はガソリン、ディーゼルを燃料として利用できるエンジンを提供する。
【０００４】
本発明の目的は以下のように達成させる。２対のローターがシリンダに密閉され、２対のローターのピストンのいずれにも燃焼室が開けられ、燃焼室の開口がシリンダ壁に向いており、圧縮気体がローターのピストンの燃焼室内に貯蔵されて、点火されると、まずローターに対して推進力を発生させて、次に吸気して圧縮させる。このように、ローターは一方向に運動する。２対のローターは遊星傘歯車ディファレンシャルにより制御される。ディファレンシャルにより動力が出力される。
【図面の簡単な説明】
【０００５】
以下、図面を参照しながら本発明についてさらに説明する。
【図１】本発明の構造模式図である。
【図２】本発明のピストンの断面模式図である。
【発明を実施するための形態】
【０００６】
ローター１（２）とローター２（３）は回転自在にシリンダ（１）に密閉される。ローター１（２）は主軸（４）に固定され、ローター２（３）は中空軸（５）に固定される。主軸（４）と中空軸（５）は遊星傘歯車ディファレンシャル（６）に接続され、主軸（４）は太陽歯車１（７）に接続され、中空軸（５）は太陽歯車２（８）に接続される。
【０００７】
図２中、ローター１（２）とローター２（３）のピストン（９）のいずれにも燃焼室（１０）が開けられる。
【符号の説明】
【０００８】
１  シリンダ
２  ローター１
３  ローター２
４  主軸
５  中空軸
６  遊星傘歯車ディファレンシャル
７  太陽歯車１
８  太陽歯車２
９  ピストン
１０  燃焼室
【図１】
2019505730.tif 000003
【図２】
2019505730.tif 000004
【国際調査報告】
2019505730.tif 000005
2019505730.tif 000006
2019505730.tif 000007
2019505730.tif 000008